(57)【要約】【課題】リモートからセキュリティの高い電源制御を可能にした電源制御装置を提供する。【解決手段】インターネット等の第１の通信経路を介した通信を行う情報通信機器に対して電源を供給し、この電源供給をオン／オフする電源回路部と、ＩＳＤＮ回線等の第２の通信経路を介した通信を行う通信部と、前記第２の通信経路を介して特定の通信相手から前記通信部に着信があったとき、前記電源回路部に対して、一旦電源供給をオフし、所定時間後に再度電源供給をオンする電源リセット動作を行うべく制御する制御部と、を備える。【選択図】図１
2007233596.tif 000002
【特許請求の範囲】
【請求項１】
第１の通信経路を介した通信を行う情報通信機器に対して電源を供給し、この電源供給をオン／オフする機能を備えた電源回路部と、
第２の通信経路を介した通信を行う通信部と、
前記第２の通信経路を介して特定の通信相手から(前記通信部に)着信があったとき、前記電源回路部に対して、一旦電源供給をオフし、所定時間後に再度電源供給をオンする電源リセット動作を行うべく制御する制御部と、
を備えた電源制御装置。
【請求項２】
前記第１の通信経路は、インターネットであり、前記第２の通信経路は、公衆電話交換網であり、
前記制御部は、(前記通信部が)前記公衆電話交換網から受信した発信電話番号および通信相手から受信した暗証番号に基づいて、この通信相手が前記特定の通信相手であるか否かを判断する請求項１に記載の電源制御装置。
【請求項３】
第１の通信経路を介した通信を行う第１通信部と、
前記第１通信部に対して電源を供給し、この電源供給をオン／オフする機能を備えた電源回路部と、
第２の通信経路を介した通信を行う第２通信部と、
前記第２の通信経路を介して特定の通信相手から(前記通信部に)着信があったとき、前記電源回路部に対して、一旦電源供給をオフし、所定時間後に再度電源供給をオンする電源リセット動作を行うべく制御する制御部と、
を備えた情報通信機器。
【請求項４】
第１の通信経路を介して互いに通信を行う情報通信機器、監視装置、および、前記情報通信機器に電源を供給する電源制御装置からなる電源制御システムであって、
前記電源制御装置は、
前記情報通信機器に対して電源を供給し、この電源供給をオン／オフする機能を備えた電源回路部と、
第２の通信経路を介した通信を行う通信部と、
前記第２の通信経路を介して特定の通信相手から(前記通信部に)着信があったとき、前記電源回路部に対して、一旦電源供給をオフし、所定時間後に再度電源供給をオンする電源リセット動作を行うべく制御する制御部と、
を備え、
前記監視装置は、
前記第２の通信経路を介した通信を行う監視通信部と、
前記情報通信機器と通信しつつその通信状態を監視し、通信状態が異常となった場合には前記監視通信部を用いて、前記電源制御装置に電源リセット動作を行うべく発信する監視部と、
を備えた
遠隔電源制御システム。
【発明の詳細な説明】
【技術分野】
【０００１】
この発明は、ルータ等の情報通信機器の電源を遠隔からリセットして動作を正常に戻す電源制御装置、情報通信機器および遠隔電源制御システムに関する。
【背景技術】
【０００２】
ルータ等の情報通信機器に異常が発生した場合には、一旦電源をオフして再起動させる電源リセットを行うことによって動作を正常な状態に復帰させることがよく行われている。この電源リセットの操作方法として、係員が電源プラグを一旦抜いたり、スイッチをオフ／オンしたりする手動操作や、電源装置と接続されているパソコンを操作して電源装置の電源供給を一旦停止させるパソコン経由の操作が従来から知られている。
【０００３】
しかし、ルータ等の情報通信機器は、リモートで情報の送受信を行う機能を備えているため、係員が即座にメンテナンスに向かえない場所に設置される場合があり、このような場所に設置された情報通信機器に異常が発生した場合には、係員が手動で操作したり電源装置に接続されているパソコンを操作することができず、情報通信機器の復旧ができない。
【０００４】
そこで、特許文献１等では以下のようなシステムが提案されている。情報通信機器に電源を供給する電源制御装置に通信機能を持たせて、前記情報通信機器とともに通信経路（たとえばネットワーク）に接続する。通信相手の機器が情報通信機器と通信を行い、この通信に異常が発生した場合には、通信相手の機器が電源制御装置に対して電源リセットの指示を送信する。
【特許文献１】特開２００１−１８４１４５号公報
【発明の開示】
【発明が解決しようとする課題】
【０００５】
特許文献１のシステムでは、通常の情報通信を行う通信経路を、電源制御装置に電源リセットを指示する通信経路として兼用しているため、セキュリティレベルが低く、第三者が悪意で電源制御装置に電源リセットを行わせ、情報通信機器をリセット（再起動）させてしまうという危険性があった。
【０００６】
そこで、この発明は、リモートからセキュリティの高い電源制御を可能にした電源制御装置、情報通信機器および遠隔電源制御システムを提供することを目的とする。
【課題を解決するための手段】
【０００７】
この発明は、第１の通信経路を介した通信を行う情報通信機器に対して電源を供給し、この電源供給をオン／オフする機能を備えた電源回路部と、第２の通信経路を介した通信を行う通信部と、前記第２の通信経路を介して特定の通信相手から(前記通信部に)着信があったとき、前記電源回路部に対して、一旦電源供給をオフし、所定時間後に再度電源供給をオンする電源リセット動作を行うべく制御する制御部と、を備えたことを特徴とする。
【０００８】
この発明は、上記発明において、前記第１の通信経路は、インターネットであり、前記第２の通信経路は、公衆電話交換網であり、前記制御部は、(前記通信部が)前記公衆電話交換網から受信した発信電話番号および通信相手から受信した暗証番号に基づいて、この通信相手が前記特定の通信相手であるか否かを判断することを特徴とする。
【０００９】
この発明は、第１の通信経路を介した通信を行う第１通信部と、前記第１通信部に対して電源を供給し、この電源供給をオン／オフする機能を備えた電源回路部と、第２の通信経路を介した通信を行う第２通信部と、前記第２の通信経路を介して特定の通信相手から(前記通信部に)着信があったとき、前記電源回路部に対して、一旦電源供給をオフし、所定時間後に再度電源供給をオンする電源リセット動作を行うべく制御する制御部と、を備えたことを特徴とする。
【００１０】
この発明は、第１の通信経路を介して互いに通信を行う情報通信機器、監視装置、および、前記情報通信機器に電源を供給する電源制御装置からなる電源制御システムであって、
前記電源制御装置は、前記情報通信機器に対して電源を供給し、この電源供給をオン／オフする機能を備えた電源回路部と、第２の通信経路を介した通信を行う通信部と、前記第２の通信経路を介して特定の通信相手から(前記通信部に)着信があったとき、前記電源回路部に対して、一旦電源供給をオフし、所定時間後に再度電源供給をオンする電源リセット動作を行うべく制御する制御部と、を備え、
前記監視装置は、前記第２の通信経路を介した通信を行う監視通信部と、前記情報通信機器と通信しつつその通信状態を監視し、通信状態が異常となった場合には前記監視通信部を用いて、前記電源制御装置に電源リセット動作を行うべく発信する監視部と、を備えたことを特徴とする。
【発明の効果】
【００１１】
この発明によれば、情報通信機器と監視装置とが情報通信を行う第１の通信経路とは別の第２の通信回路を用いて電源回路部に電源リセット動作を行わせることができるため、リモートから高いセキュリティレベルで電源制御を行うことが可能になる。
【発明を実施するための最良の形態】
【００１２】
図面を参照してこの発明の実施形態である電源制御装置について説明する。図１は、同電源制御装置の設置形態を示す図、図２は、同電源制御装置のブロック図である。
図１において、電源制御装置１は、情報通信機器であるルータ２に対して電源を供給する装置である。電源制御装置１は、商用電源７から電源を取得し、これを安定化してルータ２に供給する。ルータ２には、センタ装置３と情報の送受信を行う情報処理装置６が接続されている。ルータ２は、インターネット４を介して、監視装置であるセンタ装置３と通信を行う。この通信内容は、主として情報処理装置６とセンタ装置３との情報の交換である。
【００１３】
センタ装置３は、制御部３０、ネットワーク通信部３１および電話通信部３２を備えている。ネットワーク通信部３１は、インターネット４を介してルータ２と通信を行う回路部である。電話通信部３２は、公衆電話交換網であるＩＳＤＮ回線５に接続されている。制御部３０は、ネットワーク通信部３１−インターネット４−ルータ２を経由して情報処理装置６と情報の送受信を行う。さらに、制御部３０は、この情報処理装置６との通信（すなわちルータ２を経由した通信）の状態を常に監視しており、通信状態が異常であることを検出すると、電話通信部３２を用いて電源制御装置１に電話を掛け、ルータ２に供給している電源をリセットさせる。
【００１４】
図２において、電源制御装置１は、制御部１０、電話通信部１１、電源回路部１２、表示・操作部１３、商用電源接続部１４、および、電源供給部１５を備えている。
電話通信部１１は、ＩＳＤＮ回線５に接続されている。電話通信部１１は、着信時に電話番号通知を受信して着信した相手先の電話番号を認識する着信電話番号認識機能、および、制御部１０の指示に応じて電話回線との接続をオンオフするフックオフ／オン機能を備えるほか、通話時に通話相手から送られてくるＤＴＭＦ信号を認識する機能、および／または、通信相手とハンドシェークをとってデータ通信を行うモデム機能等を備えている。
【００１５】
制御部１０は、この電源制御装置１の全体動作を制御するマイクロコンピュータである。すなわち、制御部１０は、電話通信部１１の着信に対する応答等を制御するとともに、電源回路部１２に対して、ルータ２に対する電源の供給を一時的に（数秒程度）オフしたのち再度オンする電源リセットを指示する等の制御動作を実行する。
【００１６】
上述したように、センタ装置３は、ルータ２を介した情報処理装置６との通信が正常に行われなくなったとき、ＩＳＤＮ回線５を介して電源制御装置１に電話を掛ける。電源制御装置１は、このセンタ装置３からの着信に対応してルータ２に対する電源の供給を一時的にオフする。電源の供給が一時的に停止されたことにより、ルータ２は再起動し、自己診断動作等の起動動作を行って正常な通信状態に復帰して動作を再開する。
【００１７】
表示・操作部１３は、現在の動作状態等を表示するとともに、手動操作による電源のリセットをするためのリセットスイッチ等を備えている。
【００１８】
電源回路部１２は、商用電源接続部１４を介して供給される商用電源を安定化して電源供給部（コンセント）１５に供給するとともに、制御部１０からの指示に応じて電源供給部１５に出力される電源の供給をオン／オフする。
【００１９】
センタ装置３の制御部３０は、電話番号記憶エリア３０Ａおよび暗証番号記憶エリア３０Ｂを有し、電源制御装置１に対して電源リセットの指示を行うために、電源制御装置１の電話番号（３０Ａ）およびセンタ装置認証用の暗証番号（３０Ｂ）を記憶している。また、電源制御装置１の制御部１０は、電話番号記憶エリア１０Ａ，暗証番号記憶エリア１０Ｂを有し、センタ装置３の電話番号（１０Ａ）および前記先端装置認証用の暗証番号（１０Ｂ）を記憶している。センタ装置３が複数のルータを監視するものである場合、各ルータに電源を供給する電源制御装置１の電話番号，暗証番号をそれぞれ記憶している。
【００２０】
図３のフローチャートを参照して上記電源リセットの処理動作について説明する。
同図（Ａ）は、センタ装置３の動作を示すフローチャートである。センタ装置３は、端末装置であるルータ２および情報処理装置６を監視しており、通信に異常が発生したときこの動作を実行する。ルータ２を介した情報処理装置６との通信に異常が発生すると（Ｓ１）、このルータ２に対応する電話番号および認証用の暗証番号を読み出し（Ｓ２）、読み出した電話番号を用いて電源制御装置１に電話を掛ける（Ｓ３）。この発信は、通信相手に電話番号が通知される電話番号通知のモードで行う。この呼び出しに対して電源制御装置１が応答すると（Ｓ４）、この電源制御装置１に対応する暗証番号をＤＴＭＦ信号で送信する（Ｓ５）。
【００２１】
このＤＴＭＦ信号の送信により、電源制御装置１に電源リセット動作を行わせることができる。この電源リセット動作により、ルータ２は、再起動して正常動作に戻るはずであるから、一定時間待機して（Ｓ６）、ルータ２（情報処理装置６）との通信を再開する（Ｓ７）。
【００２２】
同図（Ｂ）は、電源制御装置１の制御部１０の動作を示すフローチャートである。電話通信部１１から電話の着信情報が入力されると（Ｓ１０）、その着信とともに発信元の電話番号が通知されているか、および、その電話番号が電話番号記憶エリア１０Ａに登録されている電話番号であるかを判断する（Ｓ１１）。電話番号が通知されていない場合、または、通知された電話番号が登録されている電話番号でない場合にはこの呼び出しを無視する。
【００２３】
通知された電話番号が登録されている電話番号であった場合には、センタ装置３からの着信であるとして、これに応答するため電話通信部１１にフックオフを指示する（Ｓ１２）。こののち、電話通信部１１が、センタ装置３からＤＴＭＦ信号で送られてきた暗証番号を受信して制御部１０に転送する（Ｓ１３）。制御部１０は、この受信した暗証番号が、暗証番号記憶エリア１０Ｂに記憶している暗証番号と一致するか否かを判断する（Ｓ１４）。一致した場合には、電源供給部１５への電源供給を一旦停止するように電源回路部１２に指示するとともに（Ｓ１６）、センタ装置３に対して電源をリセットした旨のメッセージを送信したのち（Ｓ１７）、フックオンして待機状態（Ｓ１０）にもどる。
【００２４】
受信した暗証番号が記憶している暗証番号と一致しない場合、または、フックオフしたのち一定時間以上経過しても暗証番号が送られて来ない場合には、処理を中止してフックオンし、待機状態にもどる。
【００２５】
なお、電源供給が一時的に中断されたのちのルータ２の再起動動作は、周知であるため、詳細説明を省略する。
【００２６】
上記実施形態では、センタ装置３からの着信に対して、電源制御装置１が応答し、その後送られてくるＤＴＭＦ信号の暗証番号でセンタ装置３を認証しているが、着信時の電話番号通知のみでセンタ装置３を認証して電源をリセットするようにしてもよい。また、より高いセキュリティを確保するためには、電話通信部１１にモデム機能を搭載し、フックオフののち、センタ装置３の電話通信部３０とハンドシェイクを確立して相互通信することによってセンタ装置３を認証するようにしてもよい。また、ＩＳＤＮ回線の場合には、デジタル通信で暗証番号の送受信や相互通信を行うようにしてもよい。
【００２７】
なお、上記実施形態では、電源制御装置１は、ネットワーク通信機能を備えたルータ２と別体の装置として設けているが、ネットワーク通信部を備えたルータ２（情報通信機器）の電源ユニットとしてこの電源制御装置１を内蔵してもよい。
【００２８】
≪第２の実施形態≫
図４は、この発明の第２の実施形態である電源制御装置の設置形態を示す図、図５は、同電源制御装置のブロック図である。図４，図５において、第１の実施形態（図１，図２）と同一機能の構成部には、同一番号を付して詳細な説明を省略する。
【００２９】
図４において、電源制御装置１′は、無停電電源装置（ＵＰＳ）の機能を備えている。電源制御装置１′は、ルータ２に対して電源を供給するとともに、情報処理装置６にも電源を供給している。また、情報処理装置６とは、通信ケーブル２０で接続されている。通信ケーブル２０は、電源制御装置１′が情報処理装置６に対して、シャットダウン（およびブート）させるための制御コマンドを送信するために使用される。
【００３０】
センタ装置３のコマンドコード記憶エリア３０Ｃには、電源制御装置１′に対して複数種類の制御動作を行わせるための複数種類のコマンドコードが記憶されている。この複数種類のコマンドコードについては、後述する。
【００３１】
図５において、電源回路部１２′は、上に述べたように無停電電源回路で構成されており、停電状態でも負荷に一定時間電源を供給できるようにバッテリが内蔵されている。また、電源回路部１２′からは、ルータ２に電源を供給するためのルータ用電源供給部１５Ａおよび情報処理装置６に電源を供給するための情報処理装置用電源供給部１５Ｂが取り出されている。電源回路部１２′は、ルータ用電源供給部１５Ａおよび情報処理装置用電源供給部１５Ｂに対する電源の供給をそれぞれ独立してオン／オフすることができる。
【００３２】
制御部１０′は、記憶エリア１０Ｃに、上記センタ装置３が記憶している複数のコマンドコード（３０Ｃ）と同じコマンドコードを記憶している。制御部１０′は、センタ装置３から受信したコマンドコードに対応して、ルータ２の電源リセット、情報処理装置６のリセット（再起動：シャットダウン＋電源リセット＋ブート）、両方のリセット（ルータ２の電源リセット＋情報処理装置６のリセット）の３種類の動作を実行する。
【００３３】
また、電源制御装置１′は、リモートコントロール通信部１６を備えている。制御部１０′は、このリモートコントロール通信部１６を介して情報処理装置６に対してシャットダウンおよびブートのコマンドを送信する。情報処理装置６がwake on lan に対応する機器であれば、リモートコントロール通信部１６をＬＡＮボードで構成し、マジックパケットを用いて情報処理装置６を起動すればよい。
【００３４】
この電源制御装置１′は、第１の実施形態の電源制御装置１とほぼ同様の処理を実行する。ただし、センタ装置３のコマンドに応じて上記３種類のリセット動作のうちいずれかを実行するため、図３（Ｂ）のＳ１４の暗証番号の認証ののち、Ｓ１６の処理動作に代えて、図６のフローチャートに示す動作を実行する。
【００３５】
図６は、電源制御装置１′の制御部１０′が、図３（Ｂ）のＳ１６に代えて実行する動作を示すフローチャートである。
【００３６】
図３（Ｂ）のＳ１４において、受信した暗証番号が正しい（記憶している暗証番号と一致した）と判断した場合、処理が図６のＳ２０に進む。電話通信部１１が、センタ装置３から暗証番号に続けて送られてくるコマンドコードを受信し、このコマンドコードを制御部１０′に入力する。制御部１０′は、このコマンドコードを判別し（Ｓ２１）、ルータ２の電源リセットを指示するコマンドであれば、Ｓ２２，Ｓ２３の処理を実行する。情報処理装置６のリセットを指示するコマンドであれば、Ｓ２４〜Ｓ２７の処理を実行する。ルータ２，情報処理装置６両方のリセットを指示するコマンドであれば、Ｓ２８〜Ｓ３１の処理を実行する。
【００３７】
ルータ２の電源リセット動作（Ｓ２２，Ｓ２３）は、以下のとおりである。電源供給部１５Ａの電源供給をオフする指示を電源回路部１２に出力し（Ｓ２２）、一定時間待機したのち今度は、電源供給部１５Ａの電源供給をオンする指示を電源回路部１２に出力する（Ｓ２３）。これにより、ルータ２は自身の機能で再起動し、正常動作に復帰する。なお、図３（Ｂ）のリセット動作（Ｓ１６）もこのＳ２２，Ｓ２３の動作とほぼ同様である。
【００３８】
情報処理装置６の再起動動作（Ｓ２４〜Ｓ２８）は、以下のとおりである。まず、制御部１０′は、リモートコントロール通信部１６を介して情報処理装置６に対してシャットダウンコマンドを出力する（Ｓ２４）。その後、情報処理装置６がシャットダウンするために十分な時間が経過したのち、電源供給部１５Ｂの電源供給をオフする指示を電源回路部１２に出力し（Ｓ２５）、一定時間待機したのち今度は、電源供給部１５Ｂの電源供給をオンする指示を電源回路部１２に出力する（Ｓ２６）。この電源リセット動作は、情報処理装置６の状態を完全にリセットするための動作であるが、必須ではない。こののち、リモートコントロール通信部１６を介して情報処理装置６に対してブートコマンドを出力する（Ｓ２７）。これにより、情報処理装置６の動作異常を再起動によって是正することができる。
【００３９】
一方、ルータ２，情報処理装置６両方のリセット動作（Ｓ２８〜Ｓ３１）は、以下のとおりである。まず、制御部１０′は、リモートコントロール通信部１６を介して情報処理装置６に対してシャットダウンコマンドを出力する（Ｓ２８）。その後、情報処理装置６がシャットダウンするために十分な時間が経過したのち、電源供給部１５Ａ，Ｂ両方の電源供給をオフする指示を電源回路部１２に出力し（Ｓ２９）、一定時間待機したのち今度は、電源供給部１５Ａ，Ｂ両方の電源供給をオンする指示を電源回路部１２に出力する（Ｓ３０）。こののち、リモートコントロール通信部１６を介して情報処理装置６に対してブートコマンドを出力する（Ｓ３１）。
【００４０】
なお、以上のフローチャートでは説明しなかったが、この電源制御装置１′（制御部１０′および電源回路部１２′）は、通常の無停電電源装置（ＵＰＳ）としても動作する。商用電源接続部１４からの電源供給が絶たれたときは、内蔵のバッテリに電源を切り換えて情報処理装置６への電源供給を継続するとともに、リモートコントロール通信部１６を介して情報処理装置６に対してシャットダウンコマンドを送信して速やかに正常終了させる。また、商用電源接続部１４からの電源供給が復帰したときは、電源回路部１２′の動作を再開させるとともに、リモートコントロール通信部１６を介してブートコマンドを送信して情報処理装置６を起動させる。
【００４１】
上記実施形態では、暗証番号およびコマンドコードをＤＴＭＦ信号として送受信するようにしているが、より高いセキュリティを確保するためには、電話通信部１１にモデム機能を搭載し、フックオフののち、センタ装置３の電話通信部３０とハンドシェイクを確立して暗証番号およびコマンドコードの送受信を行うようにしてもよい。
【００４２】
なお、上記第１，第２の実施形態の電源制御装置１，１′は、表示・操作部１３による手動操作で上記センタ装置３２からの遠隔操作と同様のリセット動作を実行する。また、制御部１０，１０′に、係員の電話機（たとえば携帯電話機）の電話番号および暗証番号を登録しておき、係員がリモートから手動操作でルータ２および／または情報処理装置のリセットを行うことができるようにしてもよい。
【００４３】
上記実施形態では、情報通信機器として、ルータを例にあげて説明したが、この発明の情報通信機器は、情報通信機能を備えたものであればルータに限定されない。
【図面の簡単な説明】
【００４４】
【図１】この発明の実施形態である電源制御装置の接続形態を示す図
【図２】上記電源制御装置のブロック図
【図３】センタ装置および電源制御装置の動作を示すフローチャート
【図４】この発明の第２の実施形態である電源制御装置の接続形態を示す図
【図５】上記電源制御装置のブロック図
【図６】上記電源制御装置の動作を示すフローチャート
【符号の説明】
【００４５】
１，１′…電源制御装置
２…ルータ（情報通信機器）
３…センタ装置（監視装置）
４…インターネット
５…ＩＳＤＮ回線
６…情報処理装置
７…商用電源
１０，１０′…制御部
１０Ａ…センタ装置の電話番号記憶エリア
１０Ｂ…暗証番号記憶エリア
１０Ｃ…コマンドコード記憶エリア
１１…電話通信部
１２，１２′電源回路部
１３…操作・表示部
１４…商用電源接続部
１５…電源供給部
１５Ａ…ルータ用電源供給部
１５Ｂ…情報処理装置用電源供給部
１６…リモートコントロール通信部
２０…通信ケーブル
３０…（サーバ装置の）制御部
３０Ａ…電源制御装置の電話番号記憶エリア
３０Ｂ…暗証番号記憶エリア
３０Ｃ…コマンドコード記憶エリア
３１…（サーバ装置の）ネットワーク通信部
３２…（サーバ装置の）電話通信部
【図１】
2007233596.tif 000003
【図２】
2007233596.tif 000004
【図３】
2007233596.tif 000005
【図４】
2007233596.tif 000006
【図５】
2007233596.tif 000007
【図６】
2007233596.tif 000008